(57)【特許請求の範囲】
【請求項１】
止め具と、装飾体と、紐状部材とを含む装身具であって、
前記止め具は、基体部と、孔部とを有し、
前記基体部は、弾性を有する材料で構成されており、
前記孔部は、前記基体部を貫通しており、
平面でみた前記孔部の最小差し渡し寸法は、前記装飾体の最大差し渡し寸法より小さく、
前記装飾体は、前記紐状部材に取り付けられ、前記取り付けられた状態で前記孔部に圧入される、
装身具。
【請求項２】
請求項１に記載された装身具であって、
前記紐状部材は、前記孔部の開口縁に当接することにより、前記装飾体を前記孔部に吊り下げる、
装身具。
【請求項３】
請求項１又は２に記載された装身具であって、
前記基体部は、板状、又は、枠状である、
装身具。
【請求項４】
請求項２又は３に記載された装身具であって、さらに前記孔部は、溝部を有しており、
前記溝部は、前記孔部の開口縁に形成されており、
前記紐状部材は、前記溝に案内される、
装身具。
【請求項５】
請求項１乃至３の何れかに記載された装身具であって、
前記孔部は、平面でみて前記装飾体と相似形である、
装身具。
【請求項６】
請求項１乃至４の何れかに記載された装身具であって、
前記装飾体は、前記紐状部材上をスライド可能である、
装身具。
【請求項７】
装身具の紐状部材を構成する装飾体と結合されるために用いられる止め具であって、基体部と、孔部と、脱落防止部とを含み、
前記基体部は、板状、又は、枠状であって、弾性を有する材料で構成されており、
前記孔部は、前記基体部を貫通しており、
平面でみた前記孔部の最小差し渡し寸法は、前記装飾体の最大差し渡し寸法より小さく、
前記脱落防止部は、貫通方向でみた前記孔部の下側に配置されている、
止め具。
【発明の詳細な説明】
【技術分野】
【０００１】
本発明は、止め具、止め装置、及び、これを用いた装身具に関し、具体的にはネックレスやペンダントなど紐状部材で構成された装身具の止め具に関する。
【背景技術】
【０００２】
一般に、ネックレスやペンダントなど紐状部材で構成された装身具は、紐状部材の両端に取り付けられている止め具によって環状に結合され、装着可能となる。
【０００３】
ところで、この種の装身具の使用者には、自己の体型や着用する服装に応じて、紐状部材の環を拡縮させたいという要望がある。この要望に応える装身具の構造について、例えば、特許文献１及び２が知られている。特許文献１の装身具は、紐状部材の一端に孔あきプレート（板カン）が取付けられている。止め具は、円筒状であって、外面に引き輪が突設され、紐状部材上にスライド可能に取り付けられている。特許文献２の装身具は、止め具が球状であるほか、特許文献１と同様の構成を有している。
【０００４】
確かに、上述した特許文献１及び２の装身具によると、引き輪を開閉操作して板カンを掛け止めることにより紐状部材を環状に結合することができる。
【０００５】
しかし、特許文献１及び２の装身具では、以下の新たな問題が生じる。まず、この種の止め具は、装身具の美観を損なわないよう小さい寸法で製造されるから、引き輪の開閉操作、及び、引き輪を板カンの穴に位置決めする操作がやり難いという問題がある。特に、これらの操作は、装身具がネックレスの場合には首の後など見えない位置で行われることとなるから、同操作のやり難くさが顕著に現れる。
【０００６】
また、特許文献１及び２の装身具では、紐状部材を環状に結合成するために、板カンと、引き輪との２部品が必要となるから、板カンおよび引き輪の分だけ部品点数が増加する。しかも、止め具の外面に引き輪を突設する作業の分だけ作業工数も増加するから、コスト高を招く。
【０００７】
さらに、この種の装身具には、通常、球状の装飾体（飾玉）が取り付けられているところ、特許文献２の図９に示されているように、飾玉に模した球状体を取り付ける構成によると、その分だけ実質的に部品点数が増加し、コスト高を招くこととなる。
【先行技術文献】
【特許文献】
【０００８】
【特許文献１】特許第３０４９５０１号公報
【特許文献２】特開２００７−２７５０８１号公報
【発明の概要】
【発明が解決しようとする課題】
【０００９】
本発明の課題は、着脱操作が容易な止め具、止め装置、及び、これを用いた装身具を提供することである。
【００１０】
本発明のもう１つの課題は、優れた結合力を有する止め具、止め装置、及び、これを用いた装身具を提供することである。
【００１１】
本発明の更にもう一つの課題は、安価に製造し得る止め具、止め装置、及び、これを用いた装身具を提供することである。
【課題を解決するための手段】
【００１２】
上述した課題を解決するため、本願は、止め具、止め装置、及び、装身具の３つの態様に係る発明を開示している。以下、第１乃至第３の態様に係る発明のそれぞれについて、説明する。
【００１３】
１．本願の第１の態様に係る発明について
本願の第１の態様に係る発明は、装身具の紐状部材を構成する装飾体と結合されるために用いられる止め具であって、基体部と、孔部とを含む。基体部は、弾性を有する材料で構成されている。孔部は、基体部を貫通している。平面でみた孔部の最小差し渡し寸法は、装飾体の最大差し渡し寸法より小さい。
【００１４】
上述した構成によると、本願の止め具において、平面でみた孔部の最小差し渡し寸法は、装飾体の最大差し渡し寸法より小さいから、装飾体を孔部に圧入させる簡単な操作で、止め具と装飾体とを結合することができる。また、孔部は基体部を貫通しているから、装飾体に対して圧入方向とは逆方向から押し圧力を加える簡単な操作で、装飾体を孔部から取り出すことができる。従って、着脱操作が容易な止め具を提供することができる。
【００１５】
本願の止め具において、基体部は弾性を有する材料で構成されているから、装飾体を孔部に圧入させたとき、孔部の開口縁の内寸法は、装飾体の最大差し渡し寸法となる部分までは装飾体からの押し圧力を受けて拡大し、同最大差し渡し寸法部分が開口縁を通過するに従って除荷され、縮小する。すなわち、孔部は、装飾体の圧入位置に応じて内寸法が拡縮するから、装飾体に対して確実に圧接することが可能である。従って、優れた結合力を有する止め具を提供することができる。
【００１６】
さらに、孔部は、装飾体の最大差し渡し寸法部分が開口縁を通過したときに内寸法が縮小するから、圧入方向とは逆方向に押し圧力を加えない限り、装飾体が孔部から脱落する不具合は生じない。従って、優れた結合力を有する止め具を提供することができる。
【００１７】
２．本願の第２の態様に係る発明について
本願の第２の態様に係る発明は、装身具を構成する紐状部材に取り付けられる止め装置であって、上述した第１の態様に係る止め具と、装飾体とを含む。装飾体は、装身具の紐状部材を構成するものであって、孔部に圧入される。
【００１８】
上述した構造によると、本願の止め装置は、第１の態様に係る止め具の利点を全て有することができる。例えば、本願の止め装置において、止め具は、紐状部材を構成する装飾体に直接結合される。換言すれば、本願の止め装置では、止め具と結合するための球状体を、装飾体とは別に準備する必要がないから、その分だけ部品点数が削減される。従って、安価に製造し得る止め装置を提供することができる。
【００１９】
３．本願の第３の態様に係る発明について
本願の第３の態様に係る発明において、装身具は、第２の態様に係る止め装置と、紐状部材とを含む。止め具、及び、装飾体のそれぞれは、紐状部材に取り付けられている。
【００２０】
上述した構造によると、本願の装身具は、第１の態様に係る止め具、及び、第２の態様に係る止め装置の利点を全て有することができる。例えば、本願の装身具において、止め装置を構成する止め具、及び、装飾体のそれぞれは、紐状部材に取り付けられているから、止め具と装飾体とを結合することにより紐状部材を環状に結合し、装着することができる。
【００２１】
さらに、本願の装身具において、装飾体が紐状部材に取り付けられている構成によると、装飾体を孔部に圧入したとき、紐状部材が孔部の開口縁に引っ掛かり、装飾体が孔部に吊り下げられる。従って、孔部が貫通構造を有していても、装飾体が孔部を通過して反対側に脱落する不具合は生じない。
【００２２】
また、紐状部材が孔部の開口縁に引っ掛かる構成によると、孔部に対する装飾体の圧入距離を適切な範囲に規制することができるから、着脱操作が容易な止め具、止め装置、及び、これを用いた装身具を提供することができる。
【発明の効果】
【００２３】
以上述べたように、本発明によれば、次のような効果を得ることができる。
（１）着脱操作が容易な止め具、止め装置、及び、これを用いた装身具を提供することができる。
（２）優れた結合力を有する止め具、止め装置、及び、これを用いた装身具を提供することができる。
（３）安価に製造し得る止め具、止め装置、及び、これを用いた装身具を提供することができる。
【００２４】
本発明の他の目的、構成及び利点については、添付図面を参照し、更に詳しく説明する。添付図面は、単に、例示に過ぎない。
【図面の簡単な説明】
【００２５】
【図１】本発明の一実施形態に係る止め具の平面図である。
【図２】図１の２−２線に沿った拡大断面図である。
【図３】図１の３−３線に沿った拡大断面図である。
【図４】本発明の一実施形態に係る装身具について一部を省略して示す図である。
【図５】図４の装身具について一部を拡大して示す平面図である。
【図６】図５の装身具の縦断面図である。
【図７】図５の装身具の横断面図である。
【図８】図４の装身具を構成する止め装置の結合操作について一部を省略して示す側面図である。
【図９】図８に示した工程のあとの工程を示す平面図である。
【図１０】図９に示した工程のあとの工程を示す平面図である。
【図１１】従来の装身具について一部を省略して示す図である。
【図１２】本発明のもう一つの実施形態に係る止め具の平面図である。
【図１３】本発明の更にもう一つの実施形態に係る止め具の平面図である。
【図１４】本発明の更にもう一つの実施形態に係る止め具の平面図である。
【図１５】図１４の１５−１５線に沿った拡大断面図である。
【図１６】図１４の１６−１６線に沿った拡大断面図である。
【図１７】本発明のもう一つの実施形態に係る装身具について一部を拡大して示す平面図である。
【図１８】図１７の装身具の縦断面図である。
【図１９】図１７の装身具の横断面図である。
【図２０】本発明の更にもう一つの実施形態に係る止め具の平面図である。
【図２１】図２０の止め具の左側面である。
【図２２】図２０の２２−２２線に沿った拡大断面図である。
【図２３】図２０の２３−２３線に沿った拡大断面図である。
【図２４】本発明の更にもう一つの実施形態に係る装身具について一部を拡大して示す平面図である。
【図２５】図２４の装身具の横断面図である。
【図２６】図２４の装身具の縦断面図である。
【図２７】本発明の更にもう一つの実施形態に係る止め具の平面図である。
【図２８】図２７の２８−２８線に沿った拡大断面図である。
【図２９】図２７の２９−２９線に沿った拡大断面図である。
【図３０】本発明の更にもう一つの実施形態に係る装身具について一部を拡大して示す平面図である。
【図３１】図３０の装身具の縦断面図である。
【図３２】図３０の装身具の横断面図である。
【図３３】本発明の更にもう一つの実施形態に係る止め具の底面図である。
【図３４】図３３の止め具の縦断面図である。
【図３５】本発明の更にもう一つの実施形態に係る装身具について一部を拡大して示す縦断面である。
【発明を実施するための形態】
【００２６】
図１乃至３５において同一符号は、同一又は対応部分を示すものとする。図１は本発明の一実施形態に係る止め具の平面図、図２は図１の２−２線に沿った拡大断面図、図３は図１の３−３線に沿った拡大断面図である。
【００２７】
本発明の一実施形態に係る止め具（１）は、ネックレスやペンダント、ブレスレット、眼鏡チェーンなど紐状の装身具において、紐状部材（４）に取り付けられ、同じく紐状部材（４）に取り付けられている装飾体（３）と結合することにより、紐状部材（４）の中間部に環状部分を形成するために用いられる。以下、図１乃至図３を参照して具体的に説明する。図１乃至図３の止め具１は、基体部１０と、孔部１１とを含む。
【００２８】
基体部１０は、平板状であって、厚み方向Ｈの両側に一面１０１と、他面１０２とを有し、平面でみて楕円形形状、トラック形状、又は、角丸長方形形状、もしくは楕円形状を有している。基体部１０は、側面でみて一面１０１及び他面１０２が互いに平行し、且、一面１０１及び他面１０２が同一の厚み方向Ｈに一定の曲率で湾曲し、厚み方向Ｈの一方に突出している。
【００２９】
基体部１０は、弾性を有する材料で構成されている。止め具１は、装身具の一部を構成するものであるから、基体部１０に用いられる材料は、装飾性、耐蝕性、耐摩耗性などを考慮して適宜決定することができる。一例として、基体部１０は、金（Ａｕ）や、銀（Ａｇ）、プラチナ（Ｐｔ）などの貴金属材料のほか、チタン（Ｔｉ）、ステンレスなどの金属材料、さらには合成樹脂、シリコン樹脂（シリコーン）、弾性ゴムなどで構成することができる。
【００３０】
孔部１１は、一面１０１の面領域内に開口し、基体部１０を厚み方向Ｈに沿って貫通している。孔部１１は、内面１５によって画定される閉じた内部空間を有している。本明細書において「孔部１１」には、一面１０１に現れる開口縁１１１と、他面１０２に現れる開口縁１１２の他、開口縁１１１、１１２の間を厚み方向Ｈに延びる内面１５を含むものとする。
【００３１】
孔部１１は、一対の支持部１２、１２と、一対の溝部１３、１３とよって構成されている。一対の支持部１２、１２は、平面でみて縦方向Ｌに向かい合う関係、又は、縦方向Ｌに対称となる関係で配置され、互いに間隔を隔てて向かい合っている。一対の支持部１２、１２は、孔部１１に一点鎖線で示す装飾体３が案内されたとき、装飾体３に対して圧接し、これを保持する部分である。図１乃至図３の実施形態において、一対の支持部１２、１２に相当する部分の開口縁１１１の間隔に、孔部１１の最小差し渡し寸法Ｄ１が現れている。
【００３２】
一対の溝部１３、１３は、縦方向Ｌに交差する横方向Ｗでみて向かい合う関係、又は、横方向Ｗに対称となる関係で配置され、互いに間隔を隔てて向かい合っている。溝部１３のそれぞれは、開口縁１１１において、切り欠き状に形成されており、内面１５に開口部を有し、開口部分から横方向Ｗに沿って延びている。一対の溝部１３、１３は、装飾体３に挿通される紐状部材（４）の退避空間となる部分である。また、一対の溝部１３、１３は、横方向Ｗでみた孔部１１の両側に形成されることにより、基体部１０に弾性を生じさせ、一対の支持部１２、１２の間隔（Ｄ１）が縦方向Ｌに沿って拡縮可能となる。
【００３３】
孔部１１は、平面でみて装飾体３と相似形であり、孔部１１の最小差し渡し寸法Ｄ１が、装飾体３の最大差し渡し寸法Ｄ２より小さい。さらに言えば、少なくとも開口縁１１１において一対の支持部１２、１２に相当する部分は、装飾体３と相似形に設定されており、一対の支持部１２、１２の間隔（Ｄ１）は、装飾体３の最大差し渡し寸法Ｄ２より小さくなるように予め設定されている。
【００３４】
また、孔部１１の開口縁１１２は、開口縁１１１を拡大した平面形状を有し、両開口縁１１１、１１２の間を延びる内面１５が傾斜面を構成している。違う言葉で表現すれば、一対の支持部１２、１２の間隔（Ｄ１）は、他面１０２から一面１０１に向かうに従って、徐々に狭くなっている。
【００３５】
図１乃至図３の止め具１は、横方向Ｗでみた基体部１０の両端部に一対の掛止孔１６、１６を有している。掛止孔１６のそれぞれは、基体部１０を厚み方向Ｈに貫通している。一対の掛止孔１６、１６は、止め具１を紐状部材（４）に取り付ける場合に、マルカン（４１）などの結合具を通すために形成されている。
【００３６】
図４は、本発明の一実施形態に係る装身具について一部を省略して示す図である。また、図５は図４の装身具について一部を拡大して示す平面図、図６は図５の装身具の縦断面図、図７は図５の装身具の横断面図である。図４では、見やすさを考慮して実際の製品よりも、各構成部材の寸法比が誇張して描かれている。
【００３７】
図４乃至図７の装身具は、止め装置１００と、紐状部材４とを含む。止め装置１００は、図１乃至図３を参照して説明した止め具１と、複数の装飾体３とを含む。装飾体３のそれぞれは、断面円形状であり、円の中心を通る貫通孔３１を有している。装飾体３は、この種の装身具において、紐状部材４の一部を構成するために用いられている飾玉を流用することができる。例えば、図４の装飾体３は、現在、ネックレスやペンダントなど紐状の装身具において、最も一般的に用いられている飾玉と同様に、直径４．０〜４．２ｍｍ程度の球状体である。
【００３８】
紐状部材４は、複数の装飾体３に挿通されることにより全体として装身具を構成する。紐状部材４は、当該技術分野において、ネックレス、ペンダント等の装身具に用いられる周知の構造を有することができる。図４の紐状部材４の一端には、装飾効果を高めるとともに装飾体３の抜け止めとして、エンドパーツ６が取り付けられている。本明細書において、「紐状部材」には、金属繊維、合成繊維、天然繊維等を長く寄り合わせた縄状部材や、綱状部材を含む。更に、線状部材、棒状部材、又は、それらを連結して形成したものを含む。紐状部材４がアクセサリーチェーンなどで構成され、紐状部材４そのものに装飾効果があるものはネックレスと呼ばれ、紐状部材４の中間部分にペンダントトップと呼ばれる宝飾体が掛け止められているものはペンダントと呼ばれる。
【００３９】
さらに図５乃至図７を参照すると、止め具１は、基体部１０の厚みが、厚み方向Ｈでみた装飾体３の最大差し渡し寸法Ｄ２（直径）より薄くなっており、一面１０１及び他面１０２の両側に装飾体３の曲面の一部が突出している。止め具１と、装飾体３との結合関係について、装飾体３は、基体部１０の弾性に応じて孔部１１に圧入され、圧入された状態で、一対の支持部１２、１２が装飾体３の外面に圧接することにより、一対の支持部１２、１２に挟持されている。
【００４０】
止め具１と、紐状部材４との結合関係について、止め具１は、掛止孔１６に取り付けられたマルカン４１を介して、紐状部材４の一端に取り付けられ、紐状部材４のエンドパーツを構成している。もっとも、止め具１は一対の掛止孔１６、１６を有しているから、一対の掛止孔１６、１６のそれぞれに紐状部材４を取り付けることにより、２つの紐状部材４の連結具として用いることもできる。
【００４１】
装飾体３と、紐状部材４との結合関係について、装飾体３は、貫通孔３１に紐状部材４が挿通されることにより、紐状部材４上に取り付けられている。図４の複数の装飾体３は、紐状部材４上に間隔を隔てて配置され、好ましくは紐状部材４上を長さ方向にスライド可能に掛け止められている。
【００４２】
止め装置１００と、紐状部材４との結合関係について、紐状部材４は、装飾体３が取り付けられた状態で、一対の溝部１３、１３のそれぞれに案内されている。紐状部材４は、横方向Ｗでみた溝部１３の端部を構成する開口縁１１１に当接することにより、装飾体３を孔部１１に吊り下げている。紐状部材４は、装飾体３が孔部１１に結合され、且、吊り下げられた状態（図６の状態）で、止め具１の横方向（紐状部材４の長さ方向）Ｗに沿って動かすことができる。
【００４３】
図８乃至図１０は、図４の装身具を構成する止め装置１００の結合操作について一部を省略して示す図である。図８は、装身具を装着する前の状態を示すものであって、止め具１と、装飾体３とが分離されている。使用者は、装身具を装着するにあたって、例えば、首や手首に紐状部材４を吊るした状態で、複数の装飾体３から適当な位置に取り付けられている１つを選択し、選択した装飾体３を孔部１１に載置する。より詳細に説明すると、装飾体３は、開口縁１１１において、一対の支持部１２、１２に相当する部分に載置される。孔部１１の最小差し渡し寸法Ｄ１、換言すれば一対の支持部１２、１２の間隔（Ｄ１）は、装飾体３の最大差し渡し寸法Ｄ２より小さいから、圧入方向Ｈ１に押し圧力を加えない限り、装飾体３は孔部１１を通過しない。
【００４４】
図９は、図８に示す工程の後の状態を示すものであって、装飾体３に対して圧入方向Ｈ１に押し圧力を加えることにより、装飾体３を一対の支持部１２、１２の間隔（Ｄ１）に圧入する。装飾体３に加えられた押し圧力は、内面１５を通じて一対の支持部１２、１２に伝えられる。この押し圧力に対し、基体部１０の構成材料の弾性、及び、一対の溝部１３、１３による弾性（形状弾性）が協働し、開口縁１１１が拡大する方向に弾性変形し、間隔（Ｄ１）が縦方向Ｌに押し広げられることにより、装飾体３が一対の支持部１２、１２の間隔（Ｄ１）に圧入される。
【００４５】
図１０は、図９に示す工程の後の状態を示すものであって、装飾体３は、最大差し渡し寸法Ｄ２に相当する部分Ｐ１が間隔（Ｄ１）を通過し、さらに圧入方向Ｈ１でみた玉の残り１／３程度の部分Ｐ２まで圧入される。孔部１１に対する装飾体３の圧入位置は、装飾体３に挿通された紐状部材４が、溝部１３の端部を構成する開口縁１１１に接触することにより決定される。すなわち、一対の溝部１３、１３は、装飾体３の圧入操作において、紐状部材４と協働することにより下がり止めとして機能する。その結果、装飾体３は、一対の支持部１２、１２によって挟持されるとともに、紐状部材４によって吊り下げられた状態で、孔部１１に配置される。
【００４６】
止め装置１００の結合状態を解除し、孔部１１から装飾体３を取り出すには、図８乃至図１０の結合操作とは逆の操作を行い、装飾体３に対して圧入方向Ｈ１とは逆方向Ｈ２から押し圧力を加えることにより実行することができる。
【００４７】
図１乃至図１０を参照して説明した本発明の一実施形態に係る止め具１、止め装置１００、及び、これを用いた装身具によると、以下の効果を奏することができる。まず、止め具１は、一枚板構造であるから、周知の板金加工技術によって安価に製造することができる。
【００４８】
止め装置１００を構成する止め具１、及び、装飾体３のそれぞれは、紐状部材４に取り付けられているから、使用者は、止め具１と装飾体３とを結合することにより、紐状部材４の中間に環状部分を形成して、装着することができる。
【００４９】
止め具１は、孔部１１の最小差し渡し寸法Ｄ１が、装飾体３の最大差し渡し寸法Ｄ２より小さいから、装飾体３を孔部１１に圧入させる簡単な操作で、止め具１と装飾体３とを結合することができる。より詳細に説明すると、装飾体３が孔部１１に圧入されたとき、一対の支持部１２、１２の間隔（Ｄ１）は、基体部１０の構成材料が有する弾性、及び、一対の溝部１３、１３による弾性（形状弾性）が協働することにより、最大差し渡し寸法Ｄ２となる部分Ｐ１までは装飾体３からの押し圧力を受けて縦方向Ｌに拡大され、同部分Ｐ１が間隔（Ｄ１）を通過し押し圧力が除荷されるに従って、縮小する。このように、装飾体３の圧入位置に追従して間隔（Ｄ１）が拡縮する構成によると、装飾体３を間隔（Ｄ１）に圧入させる簡単な操作で、止め具１と装飾体３とを確実に結合させることができる。
【００５０】
孔部１１を構成する一対の支持部１２、１２は、装飾体３の最大差し渡し寸法Ｄ２の部分Ｐ１が、最小差し渡し寸法Ｄ１の部分を通過したとき、縮小する方向に弾性変形し、開口縁１１１が再び装飾体３の最大差し渡し寸法Ｄ２より狭くなる。この構成によると、開口縁１１１において一対の支持部１２、１２に相当する部分が抜け止めとなり、圧入方向Ｈ１とは逆方向Ｈ２から押し圧力を加えない限り、結合された装飾体３が圧入方向Ｈ１に脱落することはない。従って、優れた結合力を有する止め具１を提供することができる。
【００５１】
止め具１において、孔部１１は基体部１０を貫通しており、基体部１０は厚み方向Ｈでみた装飾体３の最大差し渡し寸法Ｄ２（直径）より薄くなっている。この構成によると、装飾体３は、孔部１１に圧入された状態で、他面１０２の側に曲面の一部が突出するから、この突出部分を指で押し、圧入方向Ｈ１とは逆方向Ｈ２から押し圧力を加える簡単な操作で、装飾体３を孔部１１から取り出すことができる。従って、着脱操作が容易な止め具１を提供することができる。
【００５２】
止め装置１００と、紐状部材４との結合関係について、紐状部材４は、装飾体３が孔部１１に取り付けられた状態で、一対の溝部１３、１３のそれぞれに案内されることにより、溝部１３の端部を構成する開口縁１１１に接触し、装飾体３を孔部１１に吊り下げている。この構成によると、装飾体３に対する一対の支持部１２、１２の結合状態が不正に解除されたとしても、装飾体３が他面１０２の側に脱落する不具合が回避される。また、一対の溝部１３、１３が、装飾体３の圧入操作の下がり止めとなり、装飾体３の圧入距離を適切な範囲に規制することができるから、着脱操作が容易な止め具１、止め装置１００、及び、これを用いた装身具を提供することができる。
【００５３】
装飾体３は、この種の装身具において、紐状部材４の一部を構成するために用いられる飾玉を流用することができる。換言すれば、止め装置１００は、止め具１と結合するための球状体を、装飾体３とは別に準備する必要がないから、その分だけ部品点数が削減される。従って、安価に製造し得る止め装置１００を提供することができる。もっとも、現在一般的に普及し、現にネックレスに用いられている飾玉のサイズ（Ｄ２）には、デザインに応じて４．０〜４．２ｍｍ程度の差異（バリエーション）がある。これに対し、孔部１１は弾性変形可能であるから、現行の飾玉サイズのバリエーションに追従することが可能である。従って、部品点数を削減し、安価に製造しうる止め具１、止め装置１００、及び、これを用いた装身具を提供することができる。
【００５４】
図４乃至図１０の実施形態では、複数の装飾体３から任意の一つを適宜選択して、止め具１と組み合わせることにより、止め装置１００が構成される。紐状部材４の環状部分の大きさは、止め具１と組み合わせる装飾体３の位置に応じて決定されるから、自己の体型や着用する服装に応じて、紐状部材４の中間に形成される環状部分の内寸法を拡縮させることができる。しかも、紐状部材４は、装飾体３が孔部１１に結合された状態で、止め具１の横方向（紐状部材４の長さ方向）Ｗに沿って動かすことができる。この操作によると、止め具１と装飾体３とを結合した状態で、紐状部材４の環を拡縮させることができる。
【００５５】
さらに、図１乃至図１０の実施形態の利点について、図１１を参照して説明する。図１１は従来の装身具について一部を省略して示す図である。図１１の装身具に用いられている止め装置５は、孔あきプレート（板カン）５０と、球状体５１と、引き輪５２と、マルカン５３とによって構成されている。板カン５０は、紐状部材４の一端に取付けられている。球状体５１は、装飾体３と同一の構造を有し、紐状部材の中間部に取り付けられている。マルカン５３は、球状体５１の外面にロウ付け（５４）されており、このマルカン５３を介して引き輪５２が球状体５１に取り付けられている。
【００５６】
ところで、この種の止め装置は、装身具の美観を損なわないよう小さい寸法で製造されているから、図１１の止め装置５では、引き輪５２の開閉操作、及び、引き輪５２を板カン５０の穴に位置決めする操作がやり難い傾向にある。特に、これらの操作は、装身具がネックレスの場合には首の後など見えない位置で行われ、又、ブレスレットの場合には装着する側の手とは反対側の片手でのみ行われることとなるから、同操作のやり難さが顕著に現れる。
【００５７】
また、図１１の止め装置５では、紐状部材４を環状に結合するために、少なくとも板カン５０と、引き輪５２という２つの部品が必要となるから、その分だけ部品点数が増加する。しかも、引き輪５２を球状体５１に取り付けるには、マルカン５３及びロウ付け５４が必要となる。その結果、マルカン５３の分だけ部品点数が増加するとともに、ロウ付け作業の分だけ作業工数が増加するから、コスト高を招く。
【００５８】
さらに、図１１に示されているように、装飾体３に模した球状体５１を装飾体３とは別に準備し、準備した球状体５１を紐状部材４の所定の位置に取り付けるから、その分だけ、部品点数、及び、作業工数が実質的に増加し、コスト高を招くこととなる。
【００５９】
上述した図１１の従来技術に係る装身具が有する不具合について、図１乃至図１０を参照して説明した止め具１、止め装置１００、及び、これを用いた装身具によると全て解消することができる。例えば、図４乃至図１０の止め装置１００において、止め具１は装飾体３に直接組みつけられるから、図１１とは異なり、引き輪５２やマルカン５３が不要になる分だけ部品点数が低減され、マルカン５３を球状体５１にロウ付けする作業が不要になる分だけ作業工数が低減される。従って、コストを低減することができる。
【００６０】
また、図４乃至図１０の止め装置１００において、装飾体３は、孔部１１に圧入させる簡単な操作で止め具１に結合され、圧入方向（Ｈ１）とは逆方向（Ｈ２）に押し出す簡単な操作で孔部１１から取り出すことができる。従って、図１１とは異なり、着脱操作が容易な止め具１、止め装置１００、及び、これを用いた装身具を提供することができる。
【００６１】
さらに、止め具１と組み合わされる装飾体３は、この種の装身具において、紐状部材４の一部を構成するために用いられる飾玉を流用することができる。すなわち、図１乃至図１０の実施形態では、図１１とは異なり、装飾体３に模した球状体５１を別途準備する必要がない分だけ、実質的な部品点数が削減される。従って、安価に製造し得る止め装置１００を提供することができる。
【００６２】
図１２及び図１３は、本発明の更にもう一つの実施形態に係る止め具１の平面図である。図からは必ずしも明らかではないが、図１２の止め具１は、組み合わされる装飾体３の外形形状がラグビーボール状である場合の実施形態であり、図１３の止め具１は、組み合わされる装飾体３の外形形状が円筒形状である場合の実施形態である。
【００６３】
図１２及び図１３の実施形態によっても、図１乃至図１０を参照して説明した利点を全て有することは明白である。すなわち、図１乃至図１０を参照して説明したように、本発明の一実施形態に係る止め具１は、孔部１１の最小差し渡し寸法Ｄ１が、装飾体３の最大差し渡し寸法Ｄ２より小さい点に特徴の一つがある。さらに言えば、孔部１１の開口縁１１１において一対の支持部１２、１２に相当する部分が、平面でみて装飾体３と相似形に設定されており、一対の支持部１２、１２の間隔（Ｄ１）が、装飾体３の最大差し渡し寸法Ｄ２より小さくなるように予め設定されている構成により、装飾体３を孔部１１に圧入させる簡単な操作で、止め具１と装飾体３とを結合させることができる点に特徴の一つがある。
【００６４】
上述した本発明の特徴によると、孔部１１の平面形状、及び、最小差し渡し寸法Ｄ１は、組み合わされる装飾体３の平面形状、及び、最大差し渡し寸法Ｄ２に追従して適宜設定することができる。例えば、装飾体３は、図１乃至図１０に示した球状、図１２に示したラグビーボール状、図１３に示した円筒状のほかに、オーバル形状、涙滴形状でもよい。
【００６５】
図１４は本発明の更にもう一つの実施形態に係る止め具の平面図、図１５は図１４の１５−１５線に沿った拡大断面図、図１６は図１４の１６−１６線に沿った拡大断面図である。図１４乃至図１６の止め具１は、脱落防止部１７を含む以外は、図１乃至図１０の止め具１と基本的に同一の構成を有している。以下、相違点を中心に説明する。
【００６６】
図１４乃至図１６の止め具１を構成する脱落防止部１７は、厚み方向Ｈでみた孔部１１の下側に配置されている。脱落防止部１７は、端的に言えば、基体部１０を部分的に型抜きした構造であって、アーム部１７１と、受け部１７２とを有している。アーム部１７１は、一面１０１から開口縁１１１内を横方向Ｗに沿って条状に延びており、横方向Ｗの一端が開口縁１１１と一体的に結合されている。違う言葉で表現すれば、アーム部１７１は、横方向Ｗの一端が、溝部１３と向かい合う側の開口縁１１１を介して基体部１０に連なっている。
【００６７】
アーム部１７１は、横方向Ｗの他端が基体部１０の湾曲方向とは交差する斜め方向に下降している。受け部１７２は、アーム部１７１の他端に形成されている膨張部分であって、一対の支持部１２、１２に相当する部分の開口縁１１１と相似形となる受け面領域を有し、中央がすり鉢状に凹んでいる。図１４乃至図１５の受け部１７２は、略円形状となっており、開口縁１１２とは厚み方向Ｈに間隔Ｄ３を隔てて配置されている。換言すれば、受け部１７２は、厚み方向Ｈでみた他面１０２において、孔部１１の底面に相当する部分に配置され、受け面領域が一対の支持部１２、１２と重なっている。間隔Ｄ３は、孔部１１に案内される装飾体３の差し渡し寸法Ｄ２に追従して決定される。
【００６８】
図１７は本発明のもう一つの実施形態に係る装身具について一部を拡大して示す平面図、図１８は図１７の装身具の縦断面図、図１９は図１７の装身具の横断面図である。
【００６９】
図１７乃至図１９の装身具は、紐状部材４と、止め装置１００とを含み、止め装置１００は、装飾体３と、図１４乃至図１６の止め具１との組み合わせによって構成されている。
【００７０】
図１７乃至図１９の止め装置１００と、紐状部材４との結合関係について、装飾体３を貫通する紐状部材４は、装飾体３が取り付けられた状態で、長さ方向の一方が溝部１３上に案内され、長さ方向の他方がアーム部１７１の基部上に案内される。紐状部材４は、長さ方向の両端が、溝部１３上、及び、アーム部１７１の基部上に当接することにより、装飾体３を孔部１１に吊り下げている。
【００７１】
止め具１と、装飾体３との結合関係について、装飾体３は、孔部１１に圧入された状態で、一対の支持部１２、１２が、装飾体３の外面に圧接することにより、一対の支持部１２、１２に挟持されている。さらに図１７乃至図１９において、装飾体３は、孔部１１に圧入された状態で受け部１７２によって、厚み方向Ｈでみた孔部１１の下側から支持されている。
【００７２】
装飾体３は、孔部１１に対して、最大差し渡し寸法Ｄ２となる部分（Ｐ１）が一対の支持部１２、１２の間隔（Ｄ１）を通過し、圧入方向Ｈ１でみた残り１／３程度の部分Ｐ２まで圧入される。孔部１１に対する装飾体３の圧入位置は、受け部１７２が装飾体３の下部に接触することにより制御される。すなわち、受け部１７２は、装飾体３の圧入操作において、下がり止めとしても機能する。
【００７３】
図１７乃至図１９の装身具によっても、図４乃至図１０を参照して説明した装身具の利点を全て有することができる。例えば、一対の支持部１２、１２の間隔（Ｄ１）は、装飾体３の最大差し渡し寸法Ｄ２より小さくなるように予め設定されているから、装飾体３を一対の支持部１２、１２に圧入させる簡単な操作で、止め具１と装飾体３とを結合させることができる。
【００７４】
一対の支持部１２、１２は、装飾体３の最大差し渡し寸法Ｄ２の部分が開口縁１１１を通過した状態で、縮小する方向に弾性変形し、最小差し渡し寸法Ｄ１が、最大差し渡し寸法Ｄ２より小さくなる。この構成によると、一対の支持部１２、１２が抜け止めとなり、改めて圧入方向Ｈ１とは逆方向Ｈ２から押し圧力を加えない限り、結合された装飾体３が圧入方向Ｈ１に脱落することが防止される。従って、優れた結合力を有する止め具１を提供することができる。
【００７５】
装飾体３は、孔部１１に圧入された状態で受け部１７２によって、厚み方向Ｈでみた孔部１１の下側から支持されているから、装飾体３に対する一対の支持部１２、１２の結合状態が不正に解除されたとしても、装飾体３が他面１０２の側に脱落する不具合が回避される。
【００７６】
図２０は本発明の更にもう一つの実施形態に係る止め具１の平面図、図２１は図２０の止め具１の左側面である。また、図２２は図２０の２２−２２線に沿った拡大断面図、図２３は図２０の２３−２３線に沿った拡大断面図である。
【００７７】
図２０乃至図２３の止め具１は、基体部１０が枠状である点、及び、基体部１０と脱落防止部１７とが互いに独立する別部材で構成されている点以外は、図１乃至図１９の止め具１と基本的に同一の構成を有している。以下、相違点を中心に説明する。
【００７８】
図２０乃至図２３の基体部１０は、端的に言えば、図１乃至図１０を参照して説明した孔部１１の開口縁部分のみを金属線材で再現した構造となっている。すなわち、図１乃至図１０を参照して説明したように、本発明の一実施形態に係る止め具１の特徴の一つは、一対の支持部１２、１２の最小差し渡し寸法Ｄ１を、装飾体３の最大差し渡し寸法Ｄ２より狭く設定することにより、孔部１１に圧入された装飾体３を一対の支持部１２、１２で挟持する点にある。すなわち、本発明に係る止め具１の特徴の一つは、平面でみた孔部１１の開口縁部分の構造にあり、基体部１０は孔部１１の基礎部分にすぎないから、面内に孔部１１を形成されれば、その他の部分の構成、例えば基体部１０の外形形状は自由に調節しうる。
【００７９】
図２０乃至図２３の脱落防止部１７は枠状であって、厚み方向Ｈでみた孔部１１の下側に配置されている。より詳細に説明すると、脱落防止部１７は、横方向Ｗの一端に受け部１７２を有し、横方向Ｗの他端に掛止孔１６を有し、中間部分にアーム部１７１を有している。
【００８０】
図２０乃至図２３の止め具１は、基体部１０と、脱落防止部１７とを接続するヒンジ部１８を有している。ヒンジ部１８は、円筒状であって、アーム部１７１の一面側に固着されている。基体部１０は、横方向Ｗの一部が、ヒンジ部１８に軸回転可能に挿通されている。
【００８１】
図２４は本発明の更にもう一つの実施形態に係る装身具について一部を拡大して示す平面図、図２５は図２４の装身具の横断面図、図２６は図２４の装身具の縦断面図である。      
【００８２】
図２４乃至図２６の装身具は、紐状部材４と、止め装置１００とを含み、止め装置１００は、装飾体３と、図２０乃至図２３の止め具１との組み合わせによって構成されている。
【００８３】
図２４乃至図２６の止め装置１００と、紐状部材４との結合関係について、装飾体３を貫通する紐状部材４は、装飾体３が止め具１に取り付けられた状態で、長さ方向の一方が溝部１３上に案内され、長さ方向の他方がヒンジ部１８上に案内される。紐状部材４は、長さ方向の一方が溝部１３上に当接し、他方がヒンジ部１８上に当接することにより、装飾体３を孔部１１に吊り下げている。
【００８４】
止め具１と、装飾体３との結合関係について、装飾体３は、孔部１１に圧入された状態で、一対の支持部１２、１２が装飾体３の外面に圧接することにより、一対の支持部１２、１２に挟持されている。さらに図２４乃至図２６において、装飾体３は、孔部１１に圧入された状態で受け部１７２によって、厚み方向Ｈでみた孔部１１の下側から支持されている。
【００８５】
装飾体３は、孔部１１に対して、最大差し渡し寸法Ｄ２となる部分（Ｐ１）が一対の支持部１２、１２の間隔（Ｄ１）を通過し、圧入方向Ｈ１でみた残り１／３程度の部分Ｐ２まで圧入される。孔部１１に対する装飾体３の圧入位置は、受け部１７２が装飾体３の下部に接触することにより、制御される。すなわち、受け部１７２は、装飾体３の圧入操作において、下がり止めとしても機能する。
【００８６】
図２４乃至図２６の装身具によっても、図１乃至図２３を参照して説明した装身具の利点を全て有することができる。さらに、図２０乃至図２３の止め具１によると、基体部１０が枠状であるから、この種の装身具において一般に求められる軽量化の要請に応えることができるとともに、使用材料が少なくてすむ分だけ、材料コストを低減し、安価に製造することができる。
【００８７】
また、図２０乃至図２３の止め具１によると、基体部１０が枠状であるから、装身具において視覚的に目立たなくなり、装身具の装飾性が向上する。
【００８８】
図２０乃至図２３の止め具１によると、基体部１０と、脱落防止部１７とは、互いに独立する別部材で構成され、且、ヒンジ部１８を介して軸回転可能に結合されている。この構成によると、基体部１０を開閉操作して、他面１０２から脱落防止部１７までの間隔Ｄ３を拡縮することにより、現行の飾玉サイズのバリエーションに幅広く追従することができる。
【００８９】
図２７は本発明の更にもう一つの実施形態に係る止め具１の平面図、図２８は図２７の２８−２８線に沿った拡大断面図、図２９は図２７の２９−２９線に沿った拡大断面図である。図２７乃至図２９の止め具１について、以下、図１乃至図１９の止め具１との相違点を中心に説明する。
【００９０】
図２７乃至図２９の止め具１を構成する基体部１０は、横方向Ｗでみた孔部１１の両側に断面アーチ状部分を有している。基体部１０の断面アーチ状部分は、横方向Ｗに沿って伸びるとともに、他面１０２の側に開口し、内部に紐状部材（４）の退避空間が形成されている。基体部１０は、側面からみて他面１０２の側が厚み方向Ｈに突出し、湾曲している。
【００９１】
一対の支持部１２、１２を構成する内面１５は、一定の曲率で湾曲する曲面となっている。内面１５の曲面構造は、向かい合う内面１５との間隔が、一面１０１から中央部に向かって拡大し、且、中央部から他面１０２に向かって縮小する構造となるように湾曲している。図２９を参照すると、一対の支持部１２、１２の間隔は、厚み方向Ｈでみた内面１５の中間部で最大差し渡し寸法Ｄ４を構成し、開口縁１１１の部分で差し渡し寸法Ｄ５を構成し、開口縁１１２の部分で差し渡し寸法Ｄ６を構成している。差し渡し寸法Ｄ６は、最小差し渡し寸法Ｄ５より大きく、且、最大差し渡し寸法Ｄ４より小さい。装飾体３の最大差し渡し寸法Ｄ２は、差し渡し寸法Ｄ５、Ｄ６より大きく、且、最大差し渡し寸法Ｄ４と略同一に構成されている。違う観点から説明すると、装飾体３の最大差し渡し寸法Ｄ２は、装飾体３を他面１０２の側から一対の支持部１２、１２に圧入したとき、差し渡し寸法Ｄ６に相当する部分、及び、最大差し渡し寸法Ｄ４に相当する部分を通過することは可能であるが、差し渡し寸法Ｄ５に相当する部分を通過することはできない範囲で決定されている。
【００９２】
図３０は本発明の更にもう一つの実施形態に係る装身具について一部を拡大して示す平面図、図３１は図３０の装身具の縦断面図、図３２は図３０の装身具の横断面図である。図３０乃至図３２の装身具は、紐状部材４と、止め装置１００とを含み、止め装置１００は、装飾体３と、図２７乃至図２９の止め具１との組み合わせによって構成されている。
【００９３】
図３０乃至図３２の装身具を構成する止め具１と、装飾体３との結合関係について、装飾体３は、孔部１１に圧入された状態で、一対の支持部１２、１２に挟持されている。
【００９４】
装飾体３は、他面１０２側から一対の支持部１２、１２に案内され、最大差し渡し寸法Ｄ２の部分が、最大差し渡し寸法Ｄ４の部分を通過する位置まで圧入される。一対の支持部１２、１２の間隔は、最大差し渡し寸法Ｄ４の部分から差し渡し寸法Ｄ５の部分に向かうに従って縮小されるから、差し渡し寸法Ｄ５に相当する部分が、装飾体３の圧入操作において下がり止めとして機能する。
【００９５】
図２７乃至図２９の止め具１、及び、これを用いた図３０乃至図３２の装身具によっても、図１乃至図２６を参照して説明した装身具の利点を全て有することができる。さらに、一対の支持部１２、１２の差し渡し寸法Ｄ５の部分は、装飾体３の最大差し渡し寸法Ｄ２より小さいから、圧入された装飾体３に対して開口縁１１１が抜け止めとなる。従って、優れた結合力を有する止め具１を提供することができる。
【００９６】
止め具１を構成する基体部１０は、横方向Ｗでみた孔部１１の両側に断面アーチ状部分を有している。基体部１０の断面アーチ状部分は、他面１０２の側に開口し、内部に紐状部材（４）の退避空間が形成されているから、この退避空間に紐状部材４を案内することにより、紐状部材４が視覚的に目立たなくなり、装身具の装飾性が向上する。
【００９７】
図３３は本発明の更にもう一つの実施形態に係る止め具の底面図、図３４は図３３の止め具の縦断面図である。図３３及び図３４の止め具１は、連結片１９を有する以外は、図２７乃至図３２の止め具１と基本的に同一の構成を有している。以下、相違点を中心に説明する。
【００９８】
図３３及び図３４の止め具１を構成する連結片１９は、スリット１９０と、案内孔１９１、係止孔１９２とを有し、基体部１０の断面アーチ状部分の開口部を覆っている。スリット１９０は、連結片１９を板厚方向に貫通し、横方向Ｗに沿って延びている。案内孔１９１は、横方向Ｗでみたスリット１９０の一端側に開口し、係止孔１９２は横方向Ｗでみたスリット１９０の他端側に開口している。
【００９９】
図３５は本発明の更にもう一つの実施形態に係る装身具について一部を拡大して示す縦断面である。図３５の装身具は、紐状部材４と、止め装置１００とを含み、止め装置１００は、装飾体３と、図３３乃至図３４の止め具１との組み合わせによって構成されている。
【０１００】
図３５の装身具において、止め具１は、紐状部材４の一端に取り付けられている。より詳細に説明すると、紐状部材４は、一端に差込ピン４２を有している。差込ピン４２は、軸部の先端が球状に膨張している。差込ピン４２の膨張部の差し渡し寸法は、好ましくは装飾体３の貫通孔（３１）の内寸法より小さく、且、案内孔１９１の最大差し渡し径寸法と略同一か、もしくは一回り大きく形成されている。さらに、差込ピン４２の膨張部の差し渡し寸法は、係止孔１９２の径寸法より大きい。他方、差込ピン４２を構成する軸部の太さは、スリット１９０の幅寸法以下である。
【０１０１】
図３５の止め具１と、紐状部材４との結合関係について、紐状部材４は差込ピン４２が、案内孔１９１に圧入され、その後、差込ピン４２がスリット１９０を通じて、横方向Ｗにスライドされ、基体部１０の先端側において係止孔１９２に掛け止められる。差込ピン４２の膨張部の差し渡し寸法は、係止孔１９２の径寸法より大きいことに加え、掛けとめられた状態で差込ピン４２には横方向Ｗに引張力が加えられるから、差込ピン４２が脱落することない。従って、連結片１９を介して、紐状部材４と止め具１とを連結することができる。他方、逆の手順により差込ピン４２を連結片１９から取り出し、装飾体３と止め具１とを分離することができる。
【０１０２】
図３３乃至図３５の止め具１及びこれを用いた装身具によっても、図１乃至図３２を参照して説明した装身具の利点を全て有することができる。さらに、図３５の装身具によると、止め具１と紐状部材４とは、差込ピン４２と連結片１９との組み合わせにより着脱可能に連結されている。しかも、差込ピン４２は、装飾体３の貫通孔（３１）の内寸法より小さい。この構造によると、紐状部材４を差込ピン４２の側から装飾体３に挿通し、又は、挿通した装飾体３を差込ピン４２の側から取り外すことができる。
【０１０３】
また、この種の装身具がペンダントである場合、ペンダントトップを吊り下げるためのバチカンに対して、紐状部材４を差込ピン４２の側から挿通することができる。
【０１０４】
以上、好ましい実施例を参照して本発明の内容を具体的に説明したが、本発明の基本的技術思想及び教示に基づいて、当業者であれば、種種の変形態様を採り得ることは自明である。例えば、止め具１を構成する孔部１１の内側には、基体部１０の構成材料より高弾性を有する材料、具体的には合成樹脂、シリコン樹脂（シリコーン）、弾性ゴムなどで構成した枠状部材（アタッチメント具）を取り付けることができる。この構成によると、装飾体３に対する結合力を向上させることができる。
【符号の説明】
【０１０５】
１００          止め装置
１              止め具
１０            基体部
１１            孔部
１３            一対の溝部
１７            脱落防止部
３              装飾体
４              紐状部材
Ｄ１            孔部の最小差し渡し寸法
Ｄ２            装飾体の最大差し渡し寸法
【図１】
0005419227.tif 000002
【図２】
0005419227.tif 000003
【図３】
0005419227.tif 000004
【図４】
0005419227.tif 000005
【図５】
0005419227.tif 000006
【図６】
0005419227.tif 000007
【図７】
0005419227.tif 000008
【図８】
0005419227.tif 000009
【図９】
0005419227.tif 000010
【図１０】
0005419227.tif 000011
【図１１】
0005419227.tif 000012
【図１２】
0005419227.tif 000013
【図１３】
0005419227.tif 000014
【図１４】
0005419227.tif 000015
【図１５】
0005419227.tif 000016
【図１６】
0005419227.tif 000017
【図１７】
0005419227.tif 000018
【図１８】
0005419227.tif 000019
【図１９】
0005419227.tif 000020
【図２０】
0005419227.tif 000021
【図２１】
0005419227.tif 000022
【図２２】
0005419227.tif 000023
【図２３】
0005419227.tif 000024
【図２４】
0005419227.tif 000025
【図２５】
0005419227.tif 000026
【図２６】
0005419227.tif 000027
【図２７】
0005419227.tif 000028
【図２８】
0005419227.tif 000029
【図２９】
0005419227.tif 000030
【図３０】
0005419227.tif 000031
【図３１】
0005419227.tif 000032
【図３２】
0005419227.tif 000033
【図３３】
0005419227.tif 000034
【図３４】
0005419227.tif 000035
【図３５】
0005419227.tif 000036